(57)【要約】  均一の間隔を空けた複数の平行な薄板金支持バーと、支持バーの下側に担持された、間隔を空けた複数のグリッドティーと、を備える、吊下乾式壁天井グリッド構造体であって、支持バーは、グリッドティー補強バルブと係合し、かつ支持するための規則的に間隔を空けた中心を有し、中心及びグリッドティーは、共通の平面にグリッドティーのフランジの下面をもたらすように構成及び配置されており、支持バーは、規則的に間隔を空けた中心の間に、突き合わせ接合部ティーを受け入れるための中間の中心を有し、中間の中心及び突き合わせ接合部ティーは、所定の距離だけ共通の平面の上方にある平面内に、突き合わせ接合部ティーのフランジの下面をもたらすように構成及び配置されている、構造体。【選択図】図３
2019511655.tif 000002
【特許請求の範囲】
【請求項１】
均一の間隔を空けた複数の平行な薄板金支持バーと、前記支持バーの下側に担持された、間隔を空けた複数のグリッドティーと、を備える、吊下乾式壁天井グリッド構造体であって、前記支持バーは、グリッドティー補強バルブと係合し、かつそれを支持するための規則的に間隔を空けた中心を有し、前記中心及びグリッドティーは、共通の平面に前記グリッドティーのフランジの下面をもたらすように構成及び配置されており、前記支持バーは、前記規則的に間隔を空けた中心の間に、突き合わせ接合部ティーを受け入れるための中間の中心を有し、前記中間の中心及び突き合わせ接合部ティーは、所定の距離だけ前記共通の平面の上方にある平面内に、前記突き合わせ接合部ティーのフランジの下面をもたらすように構成及び配置されている、構造体。
【請求項２】
前記中間の中心が、隣接する一対の前記規則的に間隔を空けた中心間の中間に配設されている、請求項１に記載の構造体。
【請求項３】
前記規則的に間隔を空けた中心及び前記中間の中心は同一であり、かつ前記突き合わせ接合部グリッドティーは前記規則的に間隔を空けたグリッドティーよりも垂直方向に短い、請求項１に記載の構造体。
【請求項４】
前記支持バーの中心は、前記グリッドティーの上部に前記補強バルブを受け入れるように寸法決めされたキーホールスロットを含む、請求項１に記載の構造体。
【請求項５】
前記突き合わせ接合部グリッドティーは、隣接するバー間の前記間隔より長く、隣接するバー間の前記間隔に比べて短い片持ち端部部分を有する、請求項１に記載の構造体。
【請求項６】
近位バーから天井縁までの前記間隔が、バー間の前記間隔よりも短い前記グリッドの縁部領域であって、バーのセグメントが、乾式壁シート間の突き合わせ接合部が計画され、かつ前記縁に隣接している規則的に間隔を空けたグリッドティー間の空間を橋渡し、前記バーのセグメントが、突き合わせ接合部グリッドティーを受け入れる中心を有する、請求項５に記載の構造体。
【請求項７】
支持バーの下側及び支持バーから横断方向に吊り下げた薄板金ハンガーバー及び薄板金グリッドティーのグリッドを構築することと、グリッドティーを前記ハンガーバーの規則的な中心に配置することと、突き合わせ接合部ティーを隣接するティーの対の間の前記規則的な中心に配置することであって、前記突き合わせ接合部ティーが、前記規則的に間隔を空けたグリッドティーのフランジの上方にあるフランジを受け入れる乾式壁シートを有する、配置することと、前記シート及び前記フランジを通って駆動されるねじによって前記グリッド上に乾式壁シートを吊り下げることであって、前記シートの端部は、前記突き合わせ接合部ティーの下に位置合わせされ、そこにねじ込まれ、それにより前記シートの前記突き合わせ端部が、前記規則的間隔を空けたグリッドティーの下にある前記シートの主面領域が位置する平面の上方に引き上げられ、前記シートの前記突き合わせ接合部端部の下にある域、及び前記主面領域の前記平面の上方にある域が、接合テープ及び接合複合材によって充填される、吊り下げることと、によって乾式壁天井の前記突き合わせ接合部にテープを貼り、かつ仕上げるための方法。
【発明の詳細な説明】
【技術分野】
【０００１】
本発明は、乾式壁天井構造体に関し、特に、乾式壁シート間のテープが貼られた端部接合部を容易に隠す構造体に関する。
【背景技術】
【０００２】
乾式壁シートは、標準幅が４フィートであり、規則的な一連の長さが８、１０、１２、１４、及び１６フィート、または業界基準等価物の長方形パネルとして製造されている。シートの長い縁または縁部は、その表面側が先細状になっている。先細状の縁部は、構築されている天井の表面の上方の接合部にテープ及び接合複合材を受け入れ得るようにするために設けられている。シートの端部は、板の製造に使用される製造プロセスの制限により、先細状になっていない。突き合わせ接合部とも称されることのある、乾式壁シートの端と端との間の接合部は、接合テープの厚さが天井表面の平面に入り込むために、隠すのが困難である。天井の突き合わせ接合部は、間接照明によって強調されることが多いため、一部を隠すことは特に困難である。多くの場合、乾式壁の天井は、突き合わせ接合部の存在を遮蔽するために厚いテクスチャ加工が施されている。比較的滑らかな表面が指定されている場合、及び／または乾式壁が多孔質面に由来する音響特性を有する場合、天井のテクスチャ加工は実用的ではない。米国特許第７，５７８，１０７号及び同第８，８９８，９８６号は、横断方向の薄板の乾式壁グリッドティーを吊り下げるために使用できる薄板ストリップまたはバーの例を例解している。ストリップまたはバーは、その長さに沿って、ティーの上部補強バルブを捕捉する規則的なキーホール状のスロットを有する。乾式壁シートは、通常、吊り下げられたグリッドティーのフランジ下側面に自己穿孔ねじで取り付けられる。
【発明の概要】
【０００３】
本発明は、乾式壁突き合わせ接合部を容易に隠す、吊下乾式壁天井のためのグリッド構造体を提供する。本発明の構造体では、間隔を空けた支持バーは、規則的に間隔を空けた中心に横断方向のグリッドティーを担持する。乾式壁シートはグリッドティーの下面に固定される。グリッドは、特定のグリッドティーが乾式壁パネルの突き合わせ接合部に重なるように配置される。支持バー及び突き合わせ接合部ティーは、突き合わせ接合部ティーのフランジ下側面が、規則的に間隔を空けたグリッドティーによって確立された平面からわずかに上昇するように構成される。突き合わせティーフランジの高さが異なることで、乾式壁シートの主面区域によって表わされる天井の表面から離れるように曲がることにより、乾式壁シートの突き合わせ端部が引き上げられる。その結果、乾式壁シートの突き合わせ端部の局所領域は、テープを隠すのに必要な接合テープ及び任意の接合複合材の厚さを完全に受け入れるための凹部となる。
【０００４】
開示されているように、突き合わせ接合部ティーが規則的なグリッドティーの中心の中間に位置する場合、乾式壁シートの曲げ変形は、限定された幅のテーピング鏝によって広がり、かつ接合部を隠すために比較的狭いバンドの接合複合材のみを必要とするように、局所化される。
【０００５】
好ましい実施形態では、規則的に間隔を空けたグリッドティーと突き合わせ接合部ティーとの間の高さの相違は、突き合わせ接合部で垂直方向に短いグリッドティーを使用することによって得られる。この場合、支持バーは、すべてのグリッドティーの上部部分を同じ高さに保持し、その結果、垂直方向に短いグリッドティーは、規則的に間隔を空けた背の高いグリッドティーの少し上方にその下側フランジをもたらす。
【図面の簡単な説明】
【０００６】
【図１】本発明を具体化した吊天井の概略平面図である。
【図２】図１の天井の垂直平面で切り取った部分断面図である。
【図３】図１に示された平面３−３で切り取った天井の拡大部分断面図であり、テープを貼る前の突き合わせ接合部が例解されている。
【図４】テーピング後の図３の突き合わせ接合部のさらなる拡大図である。
【図５】図１の天井の上方からの部分斜視図である。
【発明を実施するための形態】
【０００７】
従来の薄板グリッドティー１３に吊り下げられた完全な壁シート及び半分の壁シート１１、１２をそれぞれ有する吊天井１０が示されている。グリッドティーは、例えばロール成形された０．０３２インチ／０．０３６インチゲージＧ４０溶融浸漬亜鉛めっき（ＨＤＧ）スチールストックの薄板金バーまたはストリップ１４から吊り下げられている。バーまたはストリップ１４は詳細には同一であり、典型的には、床または屋根の梁などの高次構造からワイヤ１５によって吊り下げられる。図１に例解する天井領域の縁部は、完全なものではない。部分的な乾式壁シートは、これらの領域にはめ込まれて吊り下げられたままである。
【０００８】
図２〜図４を参照すると、バー１４は、その長さに沿って、その下縁に隣接して８インチの中心にキーホール状のスロット１７を含む。本開示で使用される寸法は、標準的な業界基準の等価物を含むと理解されるべきである。スロット１７は、従来の乾式壁グリッドティー１３上に存在する上部補強バルブ１８を受け入れ、垂直に支持するように寸法決めされている。図５は、バー１４、ティー１３、及び乾式壁１１の関係を例解する。バー１４は、通常、水平面内で、例えば、４フィートの中心に平行な列で吊り下げられている。バー１４は、それらのスロット１７がグリッドティー１３をバーに対して横断方向に支持するように位置合わせされる。
【０００９】
スロット１７は、図３及び図４において最も明確に示されるように、グリッドティー補強バルブ１８の下側に係合してティー１３を支持する構成を有する。スロット１７に隣接する下側のバー領域は、バーの下部の平面から曲げることができ、ティー球１８がスロット１７内に長手方向ではなく、縦方向に、すなわちグリッドティーの横方向に移動できるようにする。次いで、曲がった領域を曲げてバーの底面に戻して、スロット内のティー球を捕捉することができる。
【００１０】
ティー１３は、１６インチの中心にあるように、交互のスロット１７に規則的に組み立てられている。１６インチの中心上に組み立てられたティー１３は、均一な外形、及び例えば１〜５／８インチの高さを有する。乾式壁シート１１、１２は、既知の様式で自己穿孔ねじ２５を用いてティー１３のフランジ２０の下面１９に取り付けられる。図１の乾式壁シート１１、１２の配置は、接合部で起こり得る外観の変化を最小限に抑えるために、シートの端または突き合わせ接合部を互い違いに実施することによる。例解されている場合では、突き合わせ接合部２８は、規則的に間隔を空けたグリッドティー１３の１６インチの中心から離れて配置され、これらの通常のティーから８インチの間隔が空いている。突き合わせ接合部２８のティー２１は、そのフランジ下側面２２が、通常のティーフランジ２０の下面１９が存在する水平面よりもわずかな距離で間隔を空け、例えば１／８インチ高く配置される。これは、規則的に間隔を空けたグリッドティー１３よりも垂直方向に短い乾式壁グリッドティー２１を使用することによって達成することができるが、垂直方向に短いティー及び背の高いティーの両方が同じ補強バルブ外形を有することが理解される。
【００１１】
図２及び図３の中央部分は、中心からずれて垂直方向に短いティー２１が、２つの乾式壁シート１１の端部の間の突き合わせ接合部にある状態を例解している。シート１１の先細状でない端部を通って駆動されるねじ２５は、シートを、図３の破線で示される天井１０の表面２４の上方に引き上げる。垂直方向に短いティー２１と接触するように課された板の端部を上方へ曲げることで、接合テープ２６及び接合複合材２７の層のための空間が残る。典型的には、各シートの端部に課される曲率は、隣接する背の高いグリッドティー１３においてごくわずかである。その結果、両方の隣接するシートの端部にわたる平面２４の上方の空間の幅は、１２インチの鏝によって容易に橋渡しされる。平面２４の上方の空間が接合複合材で充填され、接合部及びシート１１、１２が塗装されると、接合部は知覚できなくなる。
【００１２】
好ましくは、垂直方向に短いティー２１は、シート１１、１２の幅及び隣接するバー１４の対の間の間隔よりも長く、これにより、短いティーの端部が隣接するシート１１、１２の上に片持ち支持されるようになる。垂直方向に短いティー２１をこのように長くすることで、隣接するシート１１、１２の下にある局所領域を、１つ以上のねじによって平面２４から上方に引き上げることが可能になる。このように局所的に変形させることにより、突き合わせ接合部２８にわたる接合テープ２６の端部が、接合端部を越えて水平に伸びても接合複合材によって確実に隠れ得るようになる。
【００１３】
図１を参照すると、島又は半島の壁又は開放端などの天井１０の縁部領域では、バー１４の長さの短いストック３１は、隣接する一対の背の高いグリッドティー１３の間のブリッジとして使用され得る。このブートストラップ構成では、隣接する背の高いティー１３の遠位外端は、長さの短いバーストック３１を通って垂直方向に短いティー２１の突き合わせ接合部の外端を支持する。隣接する一対の背の高いグリッドティー１３の間で壁角度が排除されることで、突き合わせ接合部においてシート１１が上方に曲がっている端部領域にクリアランスが提供される。突き合わせ接合部ティー２１の内側端部は、連続バー１４内で、または場合によっては、同様のブートストラップ配置でバー１４の別の長さの短いストックによって支持される。
【００１４】
本発明は、乾式壁の天井で滑らかな仕上げが所望されるが、天井のテクスチャ加工によって天井の突き合わせ接合部を隠すことができない場合に特に有用である。本発明の適用例は、米国特許第８，７７０，３４５号に開示されているものなど、音響モノリシック乾式壁天井にある。
【００１５】
この開示は例示であり、本開示に含まれる教示の公正な範囲から逸脱することなく、詳細を追加、修正、または削除することによって様々な変更を行うことができることは明らかであろう。したがって、本発明は、以下の特許請求の範囲がそのように必ず限定される範囲を除いて、本開示の特定の詳細に限定されない。
【図１】
2019511655.tif 000003
【図２】
2019511655.tif 000004
【図３】
2019511655.tif 000005
【図４】
2019511655.tif 000006
【図５】
2019511655.tif 000007
【国際調査報告】
2019511655.tif 000008
2019511655.tif 000009